(57)【特許請求の範囲】
【請求項１】
駆動輪のハブ（１）内部に、変速機構（３）、減速機構（１６）及び駆動用モータ（１５）を車軸（５）の軸方向に並列して配置し、前記変速機構（３）は、ペダルからの踏力による駆動力をスプロケット（４）を通じて前記駆動輪に伝達する機能を有し、前記減速機構（１６）は、前記駆動用モータ（１５）からの駆動力を前記駆動輪に伝達する機能を有し、前記変速機構（３）は、遊星歯車機構によって構成されて少なくとも1つの変速機用太陽歯車（３ａ）と、その変速機用太陽歯車（３ａ）に噛み合う変速機用遊星歯車（３ｂ）、及びその変速機用遊星歯車（３ｂ）を保持する変速機用遊星キャリア（３ｃ）とを備え、前記スプロケット（４）からの駆動力に対して前記変速機用太陽歯車（３ａ）が前記車軸（５）周りに回転可能又は回転不能とに切り替えて変速を行う変速制御機構（１０）を備えており、前記減速機構（１６）は、遊星歯車機構によって構成されて少なくとも1つの減速機用太陽歯車（１６ａ）と、その減速機用太陽歯車（１６ａ）に噛み合う減速機用遊星歯車（１６ｂ）を備え、前記減速機用遊星歯車（１６ｂ）を、前記変速機用遊星キャリア（３ｃ）又はその変速機用遊星キャリア（３ｃ）と一体に回転する部材で保持し、前記減速機用遊星歯車（１６ｂ）に噛み合う減速機用外輪歯車（１６ｄ）とモータハウジング（１５ｂ）との間に、クラッチ（３０）を設け、
前記スプロケット（４）を前記車軸（５）の一端側に、前記駆動用モータ（１５）を前記車軸（５）の他端側に設け、前記変速機構（３）及び前記減速機構（１６）は、前記スプロケット（４）と前記駆動用モータ（１５）との間に設けられることを特徴とする電動補助自転車。
【請求項２】
駆動輪のハブ（１）内部に、変速機構（３）、減速機構（１６）及び駆動用モータ（１５）を車軸（５）の軸方向に並列して配置し、前記変速機構（３）は、ペダルからの踏力による駆動力をスプロケット（４）を通じて前記駆動輪に伝達する機能を有し、前記減速機構（１６）は、前記駆動用モータ（１５）からの駆動力を前記駆動輪に伝達する機能を有し、前記変速機構（３）は、遊星歯車機構によって構成されて少なくとも1つの変速機用太陽歯車（３ａ）と、その変速機用太陽歯車（３ａ）に噛み合う変速機用遊星歯車（３ｂ）、及びその変速機用遊星歯車（３ｂ）を保持する変速機用遊星キャリア（３ｃ）とを備え、前記スプロケット（４）からの駆動力に対して前記変速機用太陽歯車（３ａ）が前記車軸（５）周りに回転可能又は回転不能とに切り替えて変速を行う変速制御機構（１０）を備えており、前記減速機構（１６）は、遊星歯車機構によって構成されて少なくとも1つの減速機用太陽歯車（１６ａ）と、その減速機用太陽歯車（１６ａ）に噛み合う減速機用遊星歯車（１６ｂ）を備え、前記減速機用遊星歯車（１６ｂ）を、前記変速機用遊星キャリア（３ｃ）又はその変速機用遊星キャリア（３ｃ）と一体に回転する部材で保持し、前記減速機用遊星歯車（１６ｂ）に噛み合う減速機用外輪歯車（１６ｄ）とモータハウジング（１５ｂ）との間に、クラッチ（３０）を設け、
前記変速機用太陽歯車（３ａ）と前記車軸（５）との間に逆入力用ワンウェイクラッチ（２）を設け、前記クラッチ（３０）は外部操作によって係合方向を切り替えることが可能なツーウェイクラッチによって構成し、前記逆入力用ワンウェイクラッチ（２）及び前記クラッチ（３０）を逆入力に対してロックすることにより、前記駆動輪から前記駆動用モータ（１５）への逆入力を伝達可能とし、その逆入力により生じた回生電力を二次電池に還元する回生機構を備えたことを特徴とする電動補助自転車。
【請求項３】
前記スプロケット（４）を前記車軸（５）の一端側に、前記駆動用モータ（１５）を前記車軸（５）の他端側に設け、前記変速機構（３）及び前記減速機構（１６）は、前記スプロケット（４）と前記駆動用モータ（１５）との間に設けられることを特徴とする請求項２に記載の電動補助自転車。
【請求項４】
前記逆入力用ワンウェイクラッチ（２）がラチェットクラッチ機構によって構成されたことを特徴とする請求項２又は３に記載の電動補助自転車。
【請求項５】
前記クラッチ（３０）がローラクラッチ機構によって構成されたことを特徴とする請求項２乃至４のいずれか一つに記載の電動補助自転車。
【請求項６】
前記クラッチ（３０）は、前記モータハウジング（１５ｂ）の外面にローラクラッチカム面（３０ｅ）を有する内輪（３０ｃ）を備え、前記ローラクラッチカム面（３０ｅ）上に、保持器（３０ｂ）によってローラ（３０ａ）が保持されており、前記減速機用外輪歯車（１６ｄ）の内面に円筒状の外輪（３０ｄ）が設けられており、前記ローラ（３０ａ）は弾性部材によって、前記駆動用モータ（１５）からの駆動力に対して係合する方向に付勢されており、前進非駆動時に外部操作により前記保持器（３０ｂ）に連結された切替装置（３０ｆ）を操作することにより前記ローラ（３０ａ）を逆方向に係合することを可能とし、その逆方向の係合により、前記駆動輪からの逆入力を前記駆動用モータ（１５）へ伝達可能としたことを特徴とする請求項５に記載の電動補助自転車。
【請求項７】
前記クラッチ（３０）がスプラグクラッチ機構によって構成されたことを特徴とする請求項２乃至４のいずれか一つに記載の電動補助自転車。
【請求項８】
前記クラッチ（３０）の切替が、ブレーキ操作と連動して行われることを特徴とする請求項２乃至７のいずれか一つに記載の電動補助自転車。
【請求項９】
駆動輪のハブ（１）内部に、変速機構（３）、減速機構（１６）及び駆動用モータ（１５）を車軸（５）の軸方向に並列して配置し、前記変速機構（３）は、ペダルからの踏力による駆動力をスプロケット（４）を通じて前記駆動輪に伝達する機能を有し、前記減速機構（１６）は、前記駆動用モータ（１５）からの駆動力を前記駆動輪に伝達する機能を有し、前記変速機構（３）は、遊星歯車機構によって構成されて少なくとも1つの変速機用太陽歯車（３ａ）と、その変速機用太陽歯車（３ａ）に噛み合う変速機用遊星歯車（３ｂ）、及びその変速機用遊星歯車（３ｂ）を保持する変速機用遊星キャリア（３ｃ）とを備え、前記スプロケット（４）からの駆動力に対して前記変速機用太陽歯車（３ａ）が前記車軸（５）周りに回転可能又は回転不能とに切り替えて変速を行う変速制御機構（１０）を備えており、前記減速機構（１６）は、遊星歯車機構によって構成されて少なくとも1つの減速機用太陽歯車（１６ａ）と、その減速機用太陽歯車（１６ａ）に噛み合う減速機用遊星歯車（１６ｂ）を備え、前記減速機用遊星歯車（１６ｂ）を、前記変速機用遊星キャリア（３ｃ）又はその変速機用遊星キャリア（３ｃ）と一体に回転する部材で保持し、前記減速機用遊星歯車（１６ｂ）に噛み合う減速機用外輪歯車（１６ｄ）とモータハウジング（１５ｂ）との間に、クラッチ（３０）を設け、
前記変速制御機構（１０）は、全ての前記変速機用太陽歯車（３ａ）と前記車軸（５）の間にそれぞれ変速機用ワンウェイクラッチ（３ｅ）を備え、その各変速機用ワンウェイクラッチ（３ｅ）によって、前記変速機用太陽歯車（３ａ）のいずれか一つを前記車軸（５）周りに回転不能に、他を回転可能に切り替えることで変速を行うことを特徴とする電動補助自転車。
【請求項１０】
前記変速制御機構（１０）は、全ての前記変速機用太陽歯車（３ａ）と前記車軸（５）の間にそれぞれ変速機用ワンウェイクラッチ（３ｅ）を備え、その各変速機用ワンウェイクラッチ（３ｅ）によって、前記変速機用太陽歯車（３ａ）のいずれか一つを前記車軸（５）周りに回転不能に、他を回転可能に切り替えることで変速を行うことを特徴とする請求項１乃至８のいずれか一つに記載の電動補助自転車。
【請求項１１】
前記変速機用ワンウェイクラッチ（３ｅ）は、ラチェットクラッチ機構によって構成されたことを特徴とする請求項９又は１０に記載の電動補助自転車。
【請求項１２】
前記変速制御機構（１０）は、前記車軸（５）周りに嵌められた変速用スリーブ（１０ｂ）を備え、その変速用スリーブ（１０ｂ）を前記車軸（５）回りに回転させることによって、前記変速機用ワンウェイクラッチ（３ｅ）の前記回転可能又は回転不能との切り替えを行うことを特徴とする請求項１１に記載の電動補助自転車。
【請求項１３】
前記変速機用ワンウェイクラッチ（３ｅ）は、前記変速機用太陽歯車（３ａ）又は車軸（５）の一方に変速機用クラッチカム面を有し、他方にはその変速機用クラッチカム面に噛み合うことができる揺動自在の変速用クラッチ爪を有し、前記変速用スリーブ（１０ｂ）はその周方向の一部に切欠部を有し、前記変速用スリーブ（１０ｂ）を前記車軸（５）回りに回転させることにより、前記切欠部が前記変速機用クラッチカム面の位置と前記変速機用クラッチカム面から退避した位置との間で移動し、その移動によって、前記変速機用ワンウェイクラッチ（３ｅ）の切り替えを行うことを特徴とする請求項１２に記載の電動補助自転車。
【請求項１４】
駆動輪のハブ（１）内部に、変速機構（３）、減速機構（１６）及び駆動用モータ（１５）を車軸（５）の軸方向に並列して配置し、前記変速機構（３）は、ペダルからの踏力による駆動力をスプロケット（４）を通じて前記駆動輪に伝達する機能を有し、前記減速機構（１６）は、前記駆動用モータ（１５）からの駆動力を前記駆動輪に伝達する機能を有し、前記変速機構（３）は、遊星歯車機構によって構成されて少なくとも1つの変速機用太陽歯車（３ａ）と、その変速機用太陽歯車（３ａ）に噛み合う変速機用遊星歯車（３ｂ）、及びその変速機用遊星歯車（３ｂ）を保持する変速機用遊星キャリア（３ｃ）とを備え、前記スプロケット（４）からの駆動力に対して前記変速機用太陽歯車（３ａ）が前記車軸（５）周りに回転可能又は回転不能とに切り替えて変速を行う変速制御機構（１０）を備えており、前記減速機構（１６）は、遊星歯車機構によって構成されて少なくとも1つの減速機用太陽歯車（１６ａ）と、その減速機用太陽歯車（１６ａ）に噛み合う減速機用遊星歯車（１６ｂ）を備え、前記減速機用遊星歯車（１６ｂ）を、前記変速機用遊星キャリア（３ｃ）又はその変速機用遊星キャリア（３ｃ）と一体に回転する部材で保持し、前記減速機用遊星歯車（１６ｂ）に噛み合う減速機用外輪歯車（１６ｄ）とモータハウジング（１５ｂ）との間に、クラッチ（３０）を設け、
前記減速機用遊星歯車（１６ｂ）を二段歯車としたことを特徴とする電動補助自転車。
【請求項１５】
前記減速機用遊星歯車（１６ｂ）を二段歯車としたことを特徴とする請求項１乃至８のいずれか一つに記載の電動補助自転車。
【発明の詳細な説明】
【技術分野】
【０００１】
この発明は、電動モータにより人力駆動系に補助力を付加させる電動補助自転車に関するものである。
【背景技術】
【０００２】
自転車の変速機には、様々な種類のものが存在する。このような中で、一般的には、クランク軸又はリア車軸の何れか一方、もしくは両方の同軸上に多段のスプロケットを設け、ディレイラーによってチェーンをスプロケット間で移動させることによって変速する方式（外装変速機）と、駆動輪である後輪のリアハブの内部に設けた歯車を掛けかえることによって変速する方式（内装変速機）がある。
【０００３】
外装変速機は、構造が簡単で軽量であるが、スプロケットやチェーンが摩耗する原因になり、チェーン外れの原因にもなる。一方、内装変速機は、防塵、防水性に優れており、メンテナンスフリーといった利点があるため、シティサイクルに使われることが多い。
【０００４】
ところで、電動モータにより人力駆動系に補助力を付加させる電動補助自転車において、その自転車の駆動輪である後輪のリアハブ内に、モータ、減速機、変速機構が備えられたものがある。
【０００５】
リアハブに駆動用のモータを設けた、所謂リアハブモータ方式の電動補助自転車は、変速機と組み合わせる場合、前記外装変速機、又は内装変速機のいずれかを用いることができる。
【０００６】
ただし、外装変速機を用いる場合、ハブの構造は、主としてモータと減速機とから構成されるので簡素となるが、前述のような外装変速機ゆえのメンテナンス上の問題がある。一方、内装変速機を用いる場合、ハブの構造は、モータ、減速機及び変速機構とから構成されるので、ハブ自体の構造は複雑となるが、前述のような内装変速機ゆえの利点があるので有利である。
【０００７】
現在のところ、電動補助自転車はシティサイクル自転車を中心に展開しており、その殆どが内装変速機を採用している。従って、リアハブモータ方式の電動補助自転車においても、内装変速機構とすることが望ましいと考えられている。
【０００８】
この種の内装変速機構を備えた電動補助自転車の構造として、例えば、特許文献１，２に記載のものがある。
【０００９】
これらの構造では、リアハブ内において、電動機（モータ）、減速機、変速機構が配置されている。電動機による駆動機構としては、駆動用の電動機と、その電動機の回転数を減速する動力系の減速機構を内蔵している。また、人力の入力機構としては、駆動輪の車軸に入力用のスプロケットが設けられ、その車軸より外周に向かって変速機、減速機構を順に配置している。
【００１０】
リアハブは、回転ケーシングと固定ケーシングとを備え、前記人力系の入力機構は回転ケーシング側に、前記電動機による駆動機構は、主として固定ケーシング側に配置されている。
【００１１】
ペダルによって与えられた人力は、チェーンによって駆動輪のスプロケットに伝達され、変速機で変速された後、人力系の減速機構に伝達されて、回転ケーシングを通じて駆動輪を回転させる。また、電動機による駆動力は、前述の人力系の減速機構とは別に備えた動力系の減速機構で減速されて、その後、回転ケーシングにおいて人力駆動力と電動駆動力とが合力されて、駆動輪に伝達される。
【００１２】
このとき、電気信号に変換された前記人力による駆動力と、速度センサからの走行速度の電気信号とが、その電動補助自転車が備える制御部に入力され、その制御部が、所定の条件に基づいて駆動信号を出力し、電動機を制御するようになっている。
【００１３】
しかし、これらの構造では、電動機は、車軸の軸心から偏心した位置に配置されている。このため、ハブの外径が大きくなるという問題がある。ハブの外径が大きいと、重量バランスが悪くなる傾向がある。
【００１４】
この点、特許文献３，４に記載の構造によれば、減速機、電動機、変速機構を車軸上に併設した構成となっているから、上記ハブの大型化は抑制できる。
【００１５】
すなわち、これらの構造では、駆動輪である後輪のリアハブ内に、減速機、電動機と変速機構とが車幅方向に並設されており、ペダルによって与えられた人力は、チェーンを介して後輪のスプロケットに伝達され、一方向クラッチを経て変速機で変速された後、回転ケーシングを通じて駆動輪を回転させる。また、電動機による駆動力は、その車軸の周囲に設けた遊星歯車機構からなる減速機構で減速されて、その後、回転ケーシングにおいて人力駆動力と電動駆動力とが合力されて、駆動輪に伝達されるようになっている。
【先行技術文献】
【特許文献】
【００１６】
【特許文献１】特開平９−５８５６８号公報
【特許文献２】特開２０００−０４３７８０号公報
【特許文献３】特開２００２−２９３２８５号公報
【特許文献４】特開２００３−１６００８９号公報
【発明の概要】
【発明が解決しようとする課題】
【００１７】
しかし、上記特許文献３，４に記載の構造によれば、電動機からの出力は減速機を介してハブケース（回転ケーシング）に伝達され、ペダルからの駆動力は変速機構を介してハブケース（回転ケーシング）に伝達されている。
【００１８】
このため、車軸の軸心に沿って並列する減速機、電動機、変速機構の３つの機構は、それぞれ独立した構造となっている。すなわち、人力駆動力の伝達機構と、電動駆動力の伝達機構とが、それぞれ別ルートで独立して介在している。
【００１９】
駆動輪の車軸方向のスペースには限りがあるので、このような構造では、変速機構のスペースが小さくなり、変速段数を増やすことが困難である。
【００２０】
そこで、この発明は、車軸の軸心に沿って減速機、電動機、変速機構の３つの機構を並列に備えた構成において、装置をコンパクトにすることを課題とする。
【課題を解決するための手段】
【００２１】
上記の課題を解決するために、この発明は、リアハブ内部に、変速機構、減速機構及び駆動用モータを車軸方向に並設し、変速機構及び減速機構をそれぞれ遊星歯車機構によって構成し、その変速機構の遊星キャリアと減速機構の遊星キャリアを共通化することにより、車軸方向のコンパクト化を図ったものである。
【００２２】
具体的な構成は、駆動輪のハブ内部に、変速機構、減速機構及び駆動用モータを車軸の軸方向に並列して配置し、前記変速機構は、ペダルからの踏力による駆動力をスプロケットを通じて前記駆動輪に伝達する機能を有し、前記減速機構は、前記駆動用モータからの駆動力を前記駆動輪に伝達する機能を有し、前記変速機構は、遊星歯車機構によって構成されて少なくとも1つの変速機用太陽歯車と、その変速機用太陽歯車に噛み合う変速機用遊星歯車、及びその変速機用遊星歯車を保持する変速機用遊星キャリアとを備え、前記スプロケットからの駆動力に対して前記変速機用太陽歯車が前記車軸周りに回転可能又は回転不能とに切り替えて変速を行う変速制御機構を備えており、前記減速機構は、遊星歯車機構によって構成されて少なくとも1つの減速機用太陽歯車と、その減速機用太陽歯車に噛み合う減速機用遊星歯車を備え、前記減速機用遊星歯車を、前記変速機用遊星キャリア又はその変速機用遊星キャリアと一体に回転する部材で保持し、前記減速機用遊星歯車に噛み合う減速機用外輪歯車とモータハウジングとの間に、クラッチを設けたことを特徴とする電動補助自転車である。
【００２３】
この構成によれば、減速機用遊星歯車が、変速機用遊星キャリア又はその変速機用遊星キャリアと一体に回転する部材で保持される。すなわち、変速機用遊星キャリアと減速機用遊星キャリアとが一体に回転する構造となるので、そのキャリアを共通化することができ、車軸方向の装置のコンパクト化が実現できる。
また、減速機用外輪歯車とモータハウジングとの間にクラッチを設けることにより、駆動用モータからの駆動力は遊星キャリアに伝達されるが、前進駆動時にアシストが無い状態では、スプロケットから遊星キャリアに伝達された踏力は、減速機用遊星歯車に入力されるが、前記クラッチにより減速機用外輪歯車がモータハウジングに対して空回りし、トルクを受けることができない。このため、前記踏力は駆動用モータの出力軸には伝達されず、モータの引き摺り抵抗を切り離すことが可能となり、前進駆動時にアシストが無い状態でも、モータを引き摺ってしまうことがなく、ペダルが重くならない。したがって、快適な走行が可能である。
【００２４】
この構成において、前記スプロケットを前記車軸の一端側に、前記駆動用モータを前記車軸の他端側に設け、前記変速機構及び前記減速機構は、前記スプロケットと前記駆動用モータとの間に設けられる構成を採用することができる。
変速機構及び減速機構を、車軸の一端側のスプロケットと、他端側の駆動用モータとの間に設ければ、変速機用遊星キャリアと減速機用遊星キャリアとが近接するので、キャリアを共通化するための構造をさらに簡素とし得る。
【００２５】
また、これらの各構成において、回生機構を付加することもできる。すなわち、その構成は、前記変速機用太陽歯車と前記車軸との間に逆入力用ワンウェイクラッチを設け、前記クラッチは外部操作によって係合方向を切り替えることが可能なツーウェイクラッチによって構成し、前記逆入力用ワンウェイクラッチ及び前記クラッチを逆入力に対してロックすることにより、前記駆動輪から前記駆動用モータへの逆入力を伝達可能とし、その逆入力により生じた回生電力を二次電池に還元する回生機構（回生制御装置）を備えた構成である。
【００２６】
この逆入力用ワンウェイクラッチとしては、スプラグクラッチやローラクラッチ等の周知のワンウェイクラッチの構成を採用できるが、例えば、ラチェットクラッチ機構によって構成されたものを採用することができる。
【００２７】
この逆入力用ワンウェイクラッチ及びツーウェイクラッチを備えた構成によれば、駆動前進時には、変速機構を介して駆動輪のスプロケットからハブに駆動力（踏力）が伝達され、駆動用モータからの補助駆動力は、前記ツーウェイクラッチを補助駆動力に対して係合する状態とすることで、減速機構を介してハブに伝達され、自転車は前進する。このとき、駆動力に対しては、逆入力用ワンウェイクラッチは常に空転する。
一方、前進非駆動時には、逆入力用ワンウェイクラッチによって、逆入力に対して所定の変速機用太陽歯車が車軸に固定されるため、遊星キャリアを介して減速機用遊星歯車に逆入力が伝達される。このとき、前記ツーウェイクラッチを外部操作により逆入力に対して係合する可能な状態に切り替えることで、モータに逆入力が伝わり、回生発電が可能となる。すなわち、駆動輪からの逆入力に対して、太陽歯車が車軸周りに常に回転不能となるように、逆入力用ワンウェイクラッチを所定の変速機用太陽歯車と車軸との間に設けツーウェイクラッチを外部操作により逆入力に対して係合可能な状態に切り替えることによって、駆動用モータに駆動輪からの逆入力が伝達され、回生充電が可能となる。
【００２８】
また、減速機用外輪歯車とモータハウジングとの間の前記クラッチ（ツーウェイクラッチ）として、スプラグクラッチ等の周知の構成を採用できるが、例えば、ローラクラッチ機構によって構成されたものを採用することができる。
【００２９】
その構成は、前記クラッチは、前記モータハウジングの外面にローラクラッチカム面を有する内輪を備え、前記ローラクラッチカム面上に、保持器によってローラが保持されており、前記減速機用外輪歯車の内面に円筒状の外輪が設けられており、前記ローラは弾性部材によって、前記駆動用モータからの駆動力に対して係合する方向に付勢されており、前進非駆動時に外部操作により前記保持器に連結された切替装置を操作することにより前記ローラを逆方向に係合することを可能とし、その逆方向の係合により、前記駆動輪からの逆入力を前記駆動用モータへ伝達可能とした構成である。
【００３０】
このように、前記クラッチをローラクラッチ機構によるツーウェイクラッチによって構成する場合、ローラ、保持器及びローラクラッチカム面を固定部材であるモータハウジング側に設けることが望ましい。これにより、係合方向の切替が容易に行うことが可能となる。
また、ローラは弾性部材によってモータからの駆動力に対して係合する方向に付勢しておき、前進非駆動時には外部操作によって逆方向に係合するように構成することが望ましい。これにより、回生が必要な時にのみ前記クラッチの切替を行えばよいため、構造が簡素となる。
【００３１】
また、前記クラッチの切替は、前述の回生充電のスイッチと同様に、ブレーキ操作と連動させることもできる。
【００３２】
また、前記変速制御機構は、全ての前記変速機用太陽歯車と前記車軸の間にそれぞれ変速機用ワンウェイクラッチを備え、その各変速機用ワンウェイクラッチによって、前記変速機用太陽歯車のいずれか一つを前記車軸周りに回転不能に、他を回転可能に切り替えることで変速を行う構成を採用することができる。
【００３３】
なお、この変速機用ワンウェイクラッチの構造としては、周知のワンウェイクラッチを採用できるが、例えば、ラチェットクラッチ機構を採用することができる。
【００３４】
各太陽歯車の車軸方向長さは、ハブ内のスペースに制約があることから短くしなければならない。このため、逆入力用ワンウェイクラッチや変速機用ワンウェイクラッチをラチェットクラッチによって構成することにより、逆入力用ワンウェイクラッチ爪と変速機用ワンウェイクラッチ爪を車軸方向において同一位置に配置することが可能となり、太陽歯車の軸方向長さを短くすることができる。
【００３５】
前記変速機用ワンウェイクラッチとしてラチェットクラッチを採用した場合において、変速制御機構としては、例えば、前記車軸周りに嵌められた変速用スリーブを備え、その変速用スリーブを前記車軸回りに回転させることによって、前記変速機用ワンウェイクラッチの前記回転可能又は回転不能との切り替えを行う構成を採用することができる。
ハブ内の車軸の軸方向へのスペースには制約があることから、変速制御機構は、このように、変速用スリーブを車軸周りに回転運動（揺動運動）させることによって、各変速機用ワンウェイクラッチの切替を行う機構を用いることが好ましい。
【００３６】
その具体的な例としては、前記変速機用ワンウェイクラッチは、前記変速機用太陽歯車又は車軸の一方に変速機用クラッチカム面を有し、他方にはその変速機用クラッチカム面に噛み合うことができる揺動自在のクラッチ爪を有し、前記変速用スリーブはその周方向の一部に切欠部を有し、前記変速用スリーブを前記車軸回りに回転させることにより、前記切欠部が前記変速機用クラッチカム面の位置と前記変速機用クラッチカム面から退避した位置との間で移動し、その移動によって、前記変速機用ワンウェイクラッチの切り替えを行う構成である。
【００３７】
また、前記減速機構が備える減速機用遊星歯車としては、例えば、二段歯車とすることができる。遊星歯車として二段の歯車を用いることによって、高減速比とすることが可能となる。もちろん、この段数は、電動補助自転車に求められる仕様に応じて任意に設定できるから、例えば、一段とすることもできるし、三段以上とすることもできる。
【００３８】
また、スプロケットと遊星キャリアとの間にスプロケット用ワンウェイクラッチを設けることにより、スプロケットからの踏力は遊星キャリアに伝達されるが、駆動輪からの逆入力はスプロケットに伝達されないように設定できる。このため、前進非駆動時にチェーンが回転しないため安全性が向上する。
【００３９】
さらに、前記駆動用モータの出力軸と前記車軸とを同軸状に接続し、前記出力軸と前記車軸とを軸受によって相対回転可能に支持した構成を採用することができる。車軸と駆動用モータの出力軸を軸受によって相対回転可能に支持することによって、車軸と駆動用モータの剛性が向上する。
【発明の効果】
【００４０】
この発明は、車軸の軸心に沿って減速機、電動機、変速機構の３つの機構を並列に備えた構成において、変速機用遊星キャリアと減速機用遊星キャリアとが一体に回転する構造としたので、そのキャリアを共通化することができ、車軸方向の装置のコンパクト化が実現できる。
【００４１】
また、減速機用外輪歯車とモータハウジングとの間にクラッチを設けることにより、駆動用モータからの駆動力は遊星キャリアに伝達されるが、前進駆動時にアシストが無い状態では、スプロケットから遊星キャリアに伝達された踏力は、減速機用遊星歯車に入力されるが、前記クラッチにより減速機用外輪歯車がモータハウジングに対して空回りし、トルクを受けることができない。このため、前記踏力は駆動用モータの出力軸には伝達されず、モータの引き摺り抵抗を切り離すことが可能となり、前進駆動時にアシストが無い状態でも、モータを引き摺ってしまうことがなく、ペダルが重くならない。したがって、快適な走行が可能である。
【図面の簡単な説明】
【００４２】
【図１】実施形態のリアハブの断面図
【図２】モータ駆動時の状態を示す図１のＡ−Ａ断面図
【図３】前進駆動時（アシスト無し）の状態を示す図１のＡ−Ａ断面図
【図４】回生時の状態を示す図１のＡ−Ａ断面図
【図５】電動補助自転車の側面図
【発明を実施するための形態】
【００４３】
この発明の実施形態を、図面に基づいて説明する。この実施形態の電動補助自転車は、駆動輪４５である後輪のハブ１（以下、「リアハブ１」と称する）内部に駆動用モータ１５が設けられている、リアハブモータ方式の電動補助自転車である。
【００４４】
駆動時、例えば、図５に示すペダル４０を通じてクランク軸４１から伝達された踏力が入力された場合は、フロントスプロケット４４と後輪のスプロケット４（以下、「リアスプロケット４」と称する。）とを結ぶチェーン４３等の動力伝達要素を介して、後輪に駆動力が伝達可能となっている。
【００４５】
また、前記駆動用モータ１５の出力による駆動力は、ハブ内部の減速機構１６等を介して、後輪に伝達可能となっている。なお、図５中の符号４６は、駆動用モータ１５の電源となるバッテリである。
【００４６】
また、前進非駆動時に、後輪からの逆入力が前記減速機構１６（逆入力の場合は増速される）等を介して前記駆動用モータ１５に伝達され、逆入力によって生じた回生電力を図示しない二次電池に還元する回生制御装置を備えている。その回生制御装置は、リアハブ１内か、あるいは、前記バッテリ４６周辺に設けられる。
【００４７】
リアハブ１は、図１に示すように、後輪の車軸５と同軸に設けたハブケース７内に、変速機構３と減速機構１６と駆動用モータ１５とを備えている。変速機構３は、３段階の増速が可能な遊星歯車機構で構成している。なお、図中の符号６は、後輪と一体のハブフランジである。
【００４８】
変速機構３は、固定の車軸５の外周に変速機用ワンウェイクラッチ３ｅを介して設けられた太陽歯車３ａを備える。この実施形態では、太陽歯車３ａは三つの太陽歯車、すなわち、第一太陽歯車３ａ−１、第二太陽歯車３ａ−２、第三太陽歯車３ａ−３からなる。
その第一太陽歯車３ａ−１、第二太陽歯車３ａ−２、第三太陽歯車３ａ−３が、それぞれ第一ワンウェイクラッチ３ｅ−１、第二ワンウェイクラッチ３ｅ−２、第三ワンウェイクラッチ３ｅ−３を介して車軸５に接続されている。
【００４９】
また、第三太陽歯車３ａ−３と車軸５との間には、逆入力用ワンウェイクラッチ２が備えられている。
【００５０】
この実施形態では、第一ワンウェイクラッチ３ｅ−１、第二ワンウェイクラッチ３ｅ−２、第三ワンウェイクラッチ３ｅ−３、及び、逆入力用ワンウェイクラッチ２として、それぞれラチェットクラッチを採用している。
【００５１】
この第一ワンウェイクラッチ３ｅ−１、第二ワンウェイクラッチ３ｅ−２、第三ワンウェイクラッチ３ｅ−３、及び、前記逆入力用ワンウェイクラッチ２は、それぞれ車軸５の外周に設けられたクラッチカム面に対し、クラッチ爪が係合又は係合解除する構造となっている。なお、各クラッチ爪は、弾性部材によって、その一端がクラッチカム面に向かって、起き上がる方向に付勢されている。
【００５２】
なお、変速機用太陽歯車３ａの車軸５の軸方向への長さは、リアハブ１内のスペースに制約があることから、できる限り短くしなければならないが、この実施形態では、逆入力用ワンウェイクラッチ２や変速機用ワンウェイクラッチ３ｅをラチェットクラッチによって構成することにより、その逆入力用ワンウェイクラッチ２のクラッチ爪と変速機用ワンウェイクラッチ３ｅ（この実施形態では第三ワンウェイクラッチ３ｅ−３）のクラッチ爪とを、車軸５の軸方向において同一位置に配置することを可能としている。このため、変速機用太陽歯車３ａの軸方向長さを短くすることを実現している。
【００５３】
また、変速機構３は、第一太陽歯車３ａ−１、第二太陽歯車３ａ−２、第三太陽歯車３ａ−３に対して噛み合う歯数の異なる３段の歯車を有する変速機用遊星歯車３ｂ、その変速機用遊星歯車３ｂを保持する変速機用遊星キャリア３ｃ、変速機用遊星歯車３ｂに噛み合う変速機用外輪歯車３ｄと一体であるハブケース７とを備えている。
【００５４】
また、この実施形態では、変速機用外輪歯車３ｄはハブケース７と一体に形成されているが、変速機用外輪歯車３ｄとハブケース７とを別体で形成して、それらを共に回転するように噛み合わせる構成も考えられる。
【００５５】
また、変速機用遊星キャリア３ｃと車軸５との間、及びハブケース７と変速機用遊星キャリア３ｃとの間には、それぞれ軸受部１１，１２が設けられている。この軸受部１１，１２によって、変速機用遊星キャリア３ｃと車軸５、及び変速機用遊星キャリア３ｃとハブケース７とは、それぞれ相対回転可能に支持されている。
また、駆動用のモータ１５を保持するモータハウジング１５ｂとハブケース７との間にも、軸受部１４が設けられている。この軸受部１４によって、モータハウジング１５ｂとハブケース７と車軸５とは相対回転可能に支持されている。
【００５６】
この実施形態では、変速機用外輪歯車３ｄが、変速機用遊星歯車３ｂの三段の歯車のうち、歯数が二番目の歯車と噛み合っている。他の歯車と噛み合わせることも可能であるが、最も増速比を稼ぐことができるため、本実施形態が望ましい。
【００５７】
また、リアスプロケット４と遊星キャリア３ｃとの間には、スプロケット用ワンウェイクラッチ８が設けられており、ペダル４０からの踏力は遊星キャリア３ｃに伝達されるが、遊星キャリア３ｃからの逆入力はリアスプロケット４に伝達されない。このため、前進非駆動時にチェーンが回らないため安全性が向上する。このスプロケット用ワンウェイクラッチ８としては、周知のワンウェイクラッチ機構を用いることができる。
【００５８】
また、前記変速機用太陽歯車３ａ（第一太陽歯車３ａ−１、第二太陽歯車３ａ−２、第三太陽歯車３ａ−３に相当）は、変速制御機構１０を操作することで、駆動力に対して、そのいずれかひとつの歯車を選択的に車軸５に固定することができる。すなわち、変速制御機構１０を操作することで、第一太陽歯車３ａ−１、第二太陽歯車３ａ−２、第三太陽歯車３ａ−３は、それぞれに対応する第一ワンウェイクラッチ３ｅ−１、第二ワンウェイクラッチ３ｅ−３、第三ワンウェイクラッチ３ｅ−３により、そのいずれか一つが駆動力に対して車軸５に固定され（相対回転不能とする）、そのとき、他は、車軸５に対して相対回転可能となるように切り替えられる。
【００５９】
例えば、第一太陽歯車３ａ−１を車軸５に対して固定し、第二太陽歯車３ａ−２、第三太陽歯車３ａ−３を車軸５に対してフリーの状態とした場合に、リアスプロケット４からの回転速度は、変速機用遊星キャリア３ｃから増速されてハブケース７（変速機用外輪歯車３ｄ）に伝達される。
【００６０】
このとき、第一太陽歯車３ａ−１の歯数をａ、第二太陽歯車３ａ−２と噛み合う変速機用遊星歯車３ｂの歯数をｂ、第一太陽歯車３ａ−１と噛み合う変速機用遊星歯車３ｂの歯数をｃ、変速機用外輪歯車３ｄの歯数をｄとすると、変速機用遊星キャリア３ｃから変速機用外輪歯車３ｄへの増速比は
［（ａ×ｂ）／（ｃ×ｄ）］＋１
となる。このとき、第二太陽歯車３ａ−２、第三太陽歯車３ａ−３は空転状態であり、トルク伝達に関与しない。
【００６１】
また、第二太陽歯車３ａ−２を車軸５に固定した場合、第二太陽歯車３ａ−２の歯数をａ、変速機用外輪歯車３ｄの歯数をｄとすると、変速機用遊星キャリア３ｃから変速機用外輪歯車３ｄへの増速比は
（ａ＋ｄ）／ｄ
となる。
【００６２】
また、第三太陽歯車３ａ−３を車軸５に固定した場合、第三太陽歯車３ａ−３の歯数をａ、第二太陽歯車３ａ−２と噛み合う変速機用遊星歯車３ｂの歯数をｂ、第三太陽歯車３ａ−３と噛み合う変速機用遊星歯車３ｂの歯数をｃ、変速機用外輪歯車３ｄの歯数をｄとすると、変速機用遊星キャリア３ｃから変速機用外輪歯車３ｄへの増速比は
［（ａ×ｂ）／（ｃ×ｄ）］＋１
となる。
【００６３】
なお、変速制御機構１０による変速機用ワンウェイクラッチ３ｅの切り替え、すなわち、第一ワンウェイクラッチ３ｅ−１、第二ワンウェイクラッチ３ｅ−２、第三ワンウェイクラッチ３ｅ−３のうち、選択した一つをロックし、他をフリーとするための切り替え操作は、車軸５の外周に設けた変速用スリーブ１０ｂを、車軸５の軸回りに回転運動（揺動運動）させることにより行うことができる。変速用スリーブ１０ｂの回転操作は、車軸５の端部に設けた操作部１０ａによって行うことができる。
【００６４】
この変速用スリーブ１０ｂの構成としては、その周方向の一部に切欠部を有し、前記変速用スリーブ１０ｂを前記車軸５の軸回りに回転させることにより、前記切欠部が前記変速機用クラッチカム面の位置と前記変速機用クラッチカム面から退避した位置との間で移動し、その移動によって、前記変速機用ワンウェイクラッチ３ｅの切り替えが行われる。ラチェットクラッチのクラッチ爪の部分に切欠部があることによって、そのクラッチ爪はクラッチカム面に係合可能であり、切欠部が臨んでいなければ、クラッチ爪は変速用スリーブ１０ｂによってクラッチカム面への係合が阻止される構成である。
【００６５】
なお、この実施形態では、変速制御機構１０による第一ワンウェイクラッチ３ｅ−１、第二ワンウェイクラッチ３ｅ−２、第三ワンウェイクラッチ３ｅ−３の切替は、前述のように、車軸５の外周に設けた変速用スリーブ１０ｂを車軸５周りに回転運動（揺動運動）させることにより、各変速用ラチェットクラッチ爪のクラッチカム面への係合を切り替える方式を採用しているが、これに代えて、公知の自転車の変速機構を用いることは差し支えない。
【００６６】
また、駆動用モータ１５は、変速機構３、減速機構１６に対して軸方向に並列する位置に配置されている。駆動用モータ１５の出力は、減速機構１６を介して変速機用遊星キャリア３ｃに減速されて伝達される。
さらに、変速機用遊星キャリア３ｃからは、変速機構３によって増速されてハブケース７に伝達される。このときの増速比は、変速制御機構１０による第一ワンウェイクラッチ３ｅ−１、第二ワンウェイクラッチ３ｅ−２、第三ワンウェイクラッチ３ｅ−３の状態によって異なる。
【００６７】
減速機構１６は、駆動用モータ１５の出力軸１５ａの外周に設けられた歯を減速機用太陽歯車１６ａとし、それに噛み合う二段の減速機用遊星歯車１６ｂ、モータハウジング１５ｂに対して軸受部１３及びクラッチ３０を介して相対回転可能となっている減速機用外輪歯車１６ｄ、及び、減速機用遊星歯車１６ｂを保持する遊星キャリアとを備える。
【００６８】
また、この減速機用の遊星キャリアは、変速機構３が備える変速機用遊星キャリア３ｃによって構成されている。すなわち、変速機用遊星歯車３ｂと減速機用遊星歯車１６ｂとが共通の軸１６ｃで、前記変速機用遊星キャリア３ｃに支持されている。変速機構の遊星キャリアと減速機構の遊星キャリアを共通化することにより、車軸方向のコンパクト化が図られている。
【００６９】
なお、この実施形態では、駆動用モータ１５の出力軸１５ａと、前記車軸５とは、軸受２０によって同軸状に接続されている。その軸受２０によって、出力軸１５ａと車軸５とは、軸周り相対回転可能である。駆動用モータ１５の出力軸１５ａを、車軸５に対して軸受２０によって相対回転可能に支持することによって、車軸５と駆動用モータ１５の剛性が向上する効果が期待できる。
【００７０】
クラッチ３０は、この実施形態では、ローラクラッチによって構成されたツーウェイクラッチとなっている。
その構成は、モータハウジング１５ｂの外面に設けた内輪３０ｃにローラクラッチカム面３０ｅが形成されている。そのローラクラッチカム面３０ｅ上には、保持器３０ｂによってローラ３０ａが保持されている。減速機用外輪歯車１６ｄの内面に、円筒状の外輪３０ｄが設けられており、前記ローラ３０ａは図示しない弾性部材によって、駆動用モータ１５からの駆動力に対して係合する方向に付勢されている（図２の反時計回りの方向）。
【００７１】
この状態では、駆動用モータ１５からの駆動力は、減速機用太陽歯車１６ａと噛み合う減速機用遊星歯車１６ｂの歯数をａ、減速機用外輪歯車１６ｄの歯数をｂ、減速機用太陽歯車１６ａの歯数をｃ、減速機用外輪歯車１６ｄと噛み合う減速機用遊星歯車１６ｂの歯数をｄとすると、減速機用太陽歯車１６ａから遊星キャリア（変速機用遊星キャリア３ｃ）へは減速比
［（ａ×ｂ）／（ｃ×ｄ）］＋１
で伝達される。このように、駆動用モータ１５からの駆動力が、減速機用太陽歯車１６ａから変速機用遊星キャリア３ｃへ伝達されるのは、クラッチ３０により、減速機用外輪歯車１６ｄがモータハウジング１５ｂ周りにロックされているからである。
【００７２】
図２において、矢印ａは、駆動用モータ１５の駆動力における変速機用遊星キャリア３ｃの回転方向を、矢印ｂは、その際の減速機用遊星歯車１６ｂの回転方向を、矢印ｃは、クラッチ３０による減速機用外輪歯車１６ｄのモータハウジング１５ｂ周りのロック方向を、矢印ｄは、出力軸１５ａの回転方向を示している。
【００７３】
一方、駆動用モータ１５からの駆動力が無い状態（アシストが無い状態）では、図３に示すように、ペダル４０からの踏力及び駆動輪４５からの逆入力は、変速機用遊星キャリア３ｃを介して減速機用遊星歯車１６ｂに伝わる。
【００７４】
図３において、矢印ｅは、駆動用モータ１５からの駆動力が無い状態における、ペダル４０からの踏力及び駆動輪４５からの逆入力による変速機用遊星キャリア３ｃの回転方向を、矢印ｆは、その際の減速機用遊星歯車１６ｂの回転方向を、矢印ｇは、減速機用外輪歯車１６ｄのモータハウジング１５ｂ周りの回転方向（フリー）を示している。
【００７５】
このとき、減速機用外輪歯車１６ｄの回転方向（トルク方向）はアシストがある状態とは逆になるため、クラッチ３０は係合しない。このため、減速機用外輪歯車１６ｄはモータハウジング１５ｂ周りにフリーで回転する（矢印ｇ参照）。減速機用外輪歯車１６ｄがモータハウジング１５ｂ周りにフリーで回転するため、駆動用モータ１５の出力軸１５ａにはトルクが伝達されることはなく、モータの引き摺り抵抗を受けずに前進することができる。これは、減速機用外輪歯車１６ｄがモータハウジング１５ｂに対して空回りし、トルクを受けることができないから、踏力は，駆動用モータ１５の出力軸１５ａには伝達されないからである。
【００７６】
また、前進非駆動時は、駆動輪４５からの逆入力が、ハブケース７から変速機用遊星歯車３ｂに伝達される。このとき、第三太陽歯車３ａ−３と車軸５との間に設けてある逆入力用ワンウェイクラッチ２によって、第三太陽歯車３ａ−３は逆入力に対して車軸５に固定される。
【００７７】
その結果、駆動輪４５からの逆入力は、変速機構３を介して減速されて変速機用遊星キャリア３ｃに伝達され、さらに、減速機構１６を介して駆動用モータ１５に増速されて伝達され、回生充電可能となる。
【００７８】
このとき、保持器３０ｂに連結された切替装置３０ｆを車軸５外から操作することにより、図４に示すように、ローラ３０ａが逆入力に対して係合する方向に付勢された状態にできる（図４の時計回りの方向）。
【００７９】
この切替装置３０ｆは、図示しないブレーキレバーにワイヤーで連結されている。前進非駆動時にブレーキレバーを操作することで、ワイヤーにより切替装置３０ｆがモータハウジング１５ｂ上を周方向に移動し、保持器３０ｂは、駆動方向に係合可能なように付勢している図示しない弾性部材の弾性力に抗して、切替装置３０ｆと連動して周方向（図２の時計回りの方向）に移動し、逆入力に対して係合可能な状態（図４）となる。ブレーキレバーの操作を解除すると、保持器３０ｂへの外部力が解除されるため、前記弾性部材により、再び駆動力に対して係合可能な状態に付勢される。但し、回生発電を行っている際は、ローラ３０ａが十分に噛み込んでいるため、ブレーキレバーの操作を解除しても、クラッチ３０の係合が解除されることはない。
【００８０】
図４において、矢印ｈは、駆動用モータ１５の駆動力における変速機用遊星キャリア３ｃの回転方向を、矢印ｉは、その際の減速機用遊星歯車１６ｂの回転方向を、矢印ｊは、クラッチ３０による減速機用外輪歯車１６ｄのモータハウジング１５ｂ周りのロック方向を、矢印ｋは、出力軸１５ａの回転方向を示している。
【００８１】
これにより、減速機用外輪歯車１６ｄは、逆入力に対してモータハウジング１５ｂに固定され、逆入力は増速されて出力軸１５ａに伝達され、回生発電可能となる。
【００８２】
このとき、変速制御機構１０による前記第一ワンウェイクラッチ３ｅ−１、第二ワンウェイクラッチ３ｅ−２、第三ワンウェイクラッチ３ｅ−３の状態によらず、第三太陽歯車３ａ−３が逆入力に対して車軸５に固定される。
【００８３】
以上のように、リアスプロケット４からの駆動力（踏力）は増速されて駆動輪４５に伝達される。また、駆動用モータ１５からの駆動力は、減速機構１６を介して減速されて変速機用遊星キャリア３ｃに伝達され、その後、変速機構３を介して増速されて駆動輪４５に伝達される。
一方、駆動輪４５からの逆入力トルクは、切替装置３０ｆを操作することにより、変速機構３で減速されて伝達され、さらに、減速機構１６により増速されて駆動用モータ１５に伝わり、回生充電が可能な状態となる。
【００８４】
さらに、減速機用外輪歯車１６ｄとモータハウジング１５ｂとの間に、車軸５外からの操作によって係合方向を切替可能なツーウェイクラッチ（クラッチ３０）を設けることにより、前進駆動時にアシストが無い状態ではモータの引き摺り抵抗を切り離して快適に走行することが可能となり、前進非駆動時にツーウェイクラッチを逆方向に係合させることにより回生発電を行うことができ、任意に回生の切替が可能となる。
【００８５】
なお、この実施形態では、変速機用遊星歯車３ｂの段数を三段として、三段の変速機構３としているが、この変速機用遊星歯車３ｂの段数は、二段又は四段以上とすることもできる。
【００８６】
また、変速制御機構１０の他の構成としては、例えば、前記変速用スリーブ１０ｂを車軸５に対して軸方向に移動操作するものも考えられる。すなわち、変速用スリーブ１０ｂを前記車軸５の軸方向に移動させることにより、前記切欠部が前記変速機用クラッチカム面の位置と前記変速機用クラッチカム面から退避した位置との間で移動し、その移動によって、前記変速機用ワンウェイクラッチ３ｅの切り替えが行われる構成である。
【００８７】
また、これらの実施形態では、ラチェットクラッチで構成された変速機用ワンウェイクラッチ３ｅにおいて、そのラチェットクラッチの各クラッチ爪のクラッチカム面への噛合を、変速用スリーブ１０ｂによって係合できる状態と係合できない状態とに切り替える方式を採用したが、車軸５と変速機用太陽歯車３ａとを相対回転可能、相対回転不能とに切り替える手段としては、その他の構成を採用してもよい。また、変速機構として、公知の自転車の変速機構を用いてもよい。
【００８８】
また、この実施形態では、第一ワンウェイクラッチ３ｅ−１、第二ワンウェイクラッチ３ｅ−２、第三ワンウェイクラッチ３ｅ−３、逆入力用ワンウェイクラッチ２は、それぞれラチェットクラッチを採用しているが、ローラクラッチ、スプラグクラッチ等、他の構成からなるワンウェイクラッチを採用することもできる。また、クラッチ３０としてローラクラッチ機構を用いたツーウェイクラッチを採用したが、スプラグクラッチ機構を用いたツーウェイクラッチを採用することもできる。
【００８９】
また、クラッチ３０として、ラチェットクラッチ、ローラクラッチ、スプラグクラッチ機構等を用いたワンウェイクラッチを採用することもできる。クラッチ３０としてワンウェイクラッチを採用する場合は、駆動用モータ１５からの駆動力が無い状態における、ペダル４０からの踏力及び駆動輪４５からの逆入力に対し、そのクラッチ３０が係合しないように設定することができる。
これにより、減速機用外輪歯車１６ｄ及び減速機用遊星歯車１６ｂはモータハウジング１５ｂ周りにフリーで回転するため、駆動用モータ１５の出力軸１５ａにはトルクが伝達されることはなく、モータの引き摺り抵抗を受けずに前進することができる。
【符号の説明】
【００９０】
１  リアハブ（ハブ）
２  逆入力用ワンウェイクラッチ
３  変速機構
３ａ  変速機用太陽歯車
３ａ−１  第一太陽歯車
３ａ−２  第二太陽歯車
３ａ−３  第三太陽歯車
３ｂ  変速機用遊星歯車
３ｃ  変速機用遊星キャリア
３ｄ  変速機用外輪歯車
３ｅ  変速機用ワンウェイクラッチ
３ｅ−１  第一ワンウェイクラッチ
３ｅ−２  第二ワンウェイクラッチ
３ｅ−３  第三ワンウェイクラッチ
４  リアスプロケット（スプロケット）
５  車軸
６  ハブフランジ
７  ハブケース
８  スプロケット用ワンウェイクラッチ
１０  変速制御機構
１０ａ  変速操作部
１０ｂ  変速用スリーブ
１１，１２，１３，１４  軸受部
１５  駆動用モータ
１５ａ  出力軸
１５ｂ  モータハウジング
１６  減速機構
１６ａ  減速機用太陽歯車
１６ｂ  減速機用遊星歯車
１６ｃ  軸
１６ｄ  減速機用外輪歯車
２０  軸受
３０  クラッチ
３０ａ  ローラ
３０ｂ  保持器
３０ｃ  内輪
３０ｄ  外輪
３０ｅ  ローラクラッチカム面
３０ｆ  切替装置
【図１】
0005567409.tif 000002
【図２】
0005567409.tif 000003
【図３】
0005567409.tif 000004
【図４】
0005567409.tif 000005
【図５】
0005567409.tif 000006